(57)【要約】【課題】ピンプラグを挿入するジャックにおいて、その外形寸法を変えずに、音切れを効果的に抑制できるようにする。【解決手段】ピンプラグ２が挿入される有底の筒部３と、筒部３に挿入されたピンプラグ２に接触してピンプラグ２に音響信号を伝達する信号用接点部材４と、を備え、信号用接点部材４が、筒部３の底部に配されたベース部４１と、ベース部４１から筒部３の内周面に沿って筒部３の開口部に向けて延在する複数の板バネ部４２と、を備え、複数の板バネ部４２が、ピンプラグ２をその径方向から挟み込むように、互いに筒部３の周方向に間隔をあけて配され、各板バネ部４２が、ピンプラグ２の括れ部２４に入り込ませて弾性的に接触させる接点部４４を備えるジャックを提供する。【選択図】図２
2014089821.tif 000002
【特許請求の範囲】
【請求項１】
ピンプラグが挿入される有底の筒部と、該筒部に挿入されたピンプラグに接触してピンプラグに音響信号を伝達する信号用接点部材と、を備え、
前記信号用接点部材が、前記筒部の底部に配されたベース部と、該ベース部から前記筒部の内周面に沿って該筒部の開口部に向けて延在する複数の板バネ部と、を備え、
複数の前記板バネ部が、前記ピンプラグをその径方向から挟み込むように、互いに前記筒部の周方向に間隔をあけて配され、
各板バネ部が、前記ピンプラグの括れ部に入り込ませて弾性的に接触させる接点部を備えていることを特徴とするジャック。
【請求項２】
各板バネ部が、その延出方向基端部において前記筒部の径方向内側に折り曲げられることで、前記内周面に対して前記径方向内側に傾斜して延びる立ち上がり板部と、該立ち上がり板部の先端に対して折り曲げられることで、前記筒部の径方向外側に傾斜して延びる折り返し板部と、を備え、
前記接点部が、前記立ち上がり板部と前記折り返し板部との折曲げ部分からなり、
前記折り返し板部の先端が前記内周面に当接していることを特徴とする請求項１に記載のジャック。
【発明の詳細な説明】
【技術分野】
【０００１】
本発明は、ジャックに関する。
【背景技術】
【０００２】
一般に、電気ギター（エレクトリックギター）やエレアコ（エレクトリック・アコースティックギター）等のように、演奏者による操作子（弦・鍵など）の操作に応じて音響信号を生成する各種の電気楽器は、ピンプラグを挿入することで音響信号を外部機器（例えばアンプやスピーカ等）に伝達するためのジャックを備えている。
ピンプラグは、円柱状に形成されたスリーブと、スリーブの先端部に設けられて径方向内側に括れた括れ部を有するチップと、を備えている。一方、ジャックは、ピンプラグを挿入する筒部と、筒部に挿入されたピンプラグの周面に弾性力で押し付ける金属製の板バネと、を備えている。前述した音響信号は、板バネの接点部がピンプラグのチップに接触することで、ジャックからピンプラグに伝達されるようになっている。
【０００３】
従来、ジャックの板バネは、例えば特許文献１のように、その一端部が筒部に固定され、他端部（接点部）が弾性力によってピンプラグの括れ部に入り込んで当接するように配されている。これにより、ジャックの板バネがピンプラグのチップに電気接続される。また、板バネの接点部がチップの括れ部に入り込むことで、ピンプラグが不意にジャックから抜け落ちないように係止している。
従来、ジャックの板バネは、一つだけ設けられている。
【先行技術文献】
【特許文献】
【０００４】
【特許文献１】特開平１０−２４１７９８号公報
【発明の概要】
【発明が解決しようとする課題】
【０００５】
しかしながら、上記従来のジャックでは、ピンプラグが板バネから離れて音響信号の伝達が途切れやすい、すなわち、音切れが発生しやすい、という問題がある。
具体的に説明すれば、従来のジャックには板バネが一つしか設けられていないため、例えばピンプラグがジャックの筒部内でこじるように動くことで、ピンプラグのチップが板バネから離れてしまう。なお、電気ギターやエレアコ等のように演奏時に演奏者の身に付ける電気楽器では、演奏者が電気楽器を演奏しながら動き回るため、ピンプラグがジャックの筒部内でこじるように動く現象が特に発生しやすい。
【０００６】
また、板バネが一つだけの場合には、ジャックに対するピンプラグの挿抜に伴う板バネの弾性変形量が大きいため、ピンプラグの挿抜を多数回繰り返すと、括れ部に押し付ける板バネの弾性力が弱くなり易い。その結果として、ピンプラグのチップが板バネから離れ易くなる。すなわち、板バネの耐久性が低いという問題もある。
なお、上記音切れを抑えるために、複数の板バネでピンプラグを挟み込むことも考えられるが、ジャックの筒部に設ける板バネ部の固定部分が増えるため、ジャックの外径寸法が大きくなってしまう、という問題がある。特に、ジャックをエレアコ等の電気楽器に設ける場合、ジャックの外形寸法を大きく設定することがスペース等の制約により困難であるため、複数の板バネを設けることが難しい。
【０００７】
また、複数の板バネ部でピンプラグを挟み込むためには、全ての板バネ部の他端部（接点部）が括れ部に入り込むように、複数の板バネ部の相対的な位置決めを行う必要がある。しかしながら、従来のように、個々の板バネ部をジャックの筒部に固定する場合には、複数の板バネ部の相対的な位置決めが面倒である。また、ピンプラグの挿抜を繰り返すことで、複数の板バネ部の他端部（接点部）の間で相対的な位置ずれが発生する虞もある。
なお、複数の板バネ部の相対位置がずれている場合、ピンプラグをジャック内で係止する力が十分に得られず、ピンプラグがジャック内において軸方向に動いてしまったり、ピンプラグがジャックから抜け易くなったりする。
【０００８】
本発明は、上述した事情に鑑みてなされたものであって、外形寸法を変えずに、音切れを抑制できるジャックを提供することを目的とする。
【課題を解決するための手段】
【０００９】
上記課題を解決するために、本発明のジャックは、ピンプラグが挿入される有底の筒部と、該筒部に挿入されたピンプラグに接触してピンプラグに音響信号を伝達する信号用接点部材と、を備え、前記信号用接点部材が、前記筒部の底部に配されたベース部と、該ベース部から前記筒部の内周面に沿って該筒部の開口部に向けて延在する複数の板バネ部と、を備え、複数の前記板バネ部が、前記ピンプラグをその径方向から挟み込むように、互いに前記筒部の周方向に間隔をあけて配され、各板バネ部が、前記ピンプラグの括れ部に入り込ませて弾性的に接触させる接点部を備えていることを特徴とする。
【００１０】
本発明のジャックによれば、ピンプラグの括れ部が複数の接点部によって挟み込まれるため、例えピンプラグがジャックの筒部内でこじるように動いたとしても、少なくとも一つの接点部はピンプラグの括れ部に対して弾性的に接触した状態に保持される。したがって、接点部が括れ部に接触した状態で信号用接点部材とピンプラグとの間で音響信号が伝達される際に、音切れが発生することを防止できる。
また、板バネ部が複数設けられることで、板バネ部が一つの場合と比較して、ジャックに対するピンプラグの挿抜に伴う各板バネ部の弾性変形量が小さくなる。このため、ピンプラグの挿抜を多数回繰り返しても、板バネ部の弾性力が弱まり難くなり、前述した音切れの発生を抑制できる。すなわち、各板バネ部の耐久性が向上し、信頼性の高いジャックを提供することが可能となる。
【００１１】
さらに、複数の板バネ部がベース部を介して一体に形成されているため、複数の接点部の相対的な位置決めを容易に行うことができる。また、ピンプラグの挿抜を繰り返しても、複数の接点部の間で相対的な位置ずれが発生することも防止できる。これにより、全ての接点部を確実にピンプラグの括れ部に入り込ませて、ピンプラグをジャック内で係止する力を十分に得ることができる。したがって、ピンプラグがジャック内において軸方向に動いてしまったり、ピンプラグがジャックから抜けてしまうことを防止できる。
また、ベース部を筒部の底部に当接させるだけで、板バネ部を筒部に対して位置決めできるため、従来のように筒部に板バネ部用の固定部分を設ける必要が無くなる。すなわち、複数の板バネ部を筒部内に配置しても、ジャックの外形寸法が大きくなることを防止できる。したがって、ジャックを設けるスペースに制約があるエレアコ等の電気楽器にも、複数の板バネ部を備えたジャックを容易に設けることが可能となる。
【００１２】
そして、前記ジャックにおいては、各板バネ部が、その延出方向基端部において前記筒部の径方向内側に折り曲げられることで、前記内周面に対して前記径方向内側に傾斜して延びる立ち上がり板部と、該立ち上がり板部の先端に対して折り曲げられることで、前記筒部の径方向外側に傾斜して延びる折り返し板部と、を備え、前記接点部が、前記立ち上がり板部と前記折り返し板部との折曲げ部分からなり、前記折り返し板部の先端が前記内周面に当接していることが好ましい。
【００１３】
ピンプラグを筒部に対して挿抜する際には接点部がピンプラグの径方向外側に押されることで、板バネ部が弾性変形して板バネ部に応力が生じる。ここで、上記構成のように折り返し板部の先端が筒部の内周面に当接していれば、板バネ部に生じる応力は、立ち上がり板部の基端における折曲げ部分、及び、立ち上がり板部と折り返し板部との折曲げ部分の二箇所に分散される。したがって、板バネ部の弾性力がさらに弱まり難くなり、板バネ部の耐久性をさらに向上できる。
【発明の効果】
【００１４】
本発明によれば、ジャックの外径寸法を変えることなく、音切れの発生を抑制することが可能となる。また、板バネ部の耐久性が向上することで、信頼性の高いジャックを提供することが可能となる。
【図面の簡単な説明】
【００１５】
【図１】本発明の一実施形態に係るジャックを示す分解斜視図である。
【図２】図１のジャック及びこれに挿入されるピンプラグを示す断面図である。
【図３】図２のジャックにピンプラグを挿入する途中の状態を示す断面図である。
【図４】図２のジャックにピンプラグを挿入した状態を示す断面図である。
【発明を実施するための形態】
【００１６】
以下、図１〜４を参照して本発明の一実施形態について説明する。
図１，２に示すように、この実施形態に係るジャック１は、例えば、弦の振動を電気信号（音響信号）に変換するピックアップ装置、トーンコントロール等を含むプリアンプ、プリアンプに電力を供給する電源（乾電池）を備えるエレアコ（電気弦楽器）に設けられ、プリアンプから出力された音響信号を外部機器に伝達するものである。
【００１７】
また、本実施形態のジャック１に挿入するピンプラグ２は、プラグ保持部２１から突出する円柱状のスリーブ２２と、スリーブ２２の突出方向先端側に設けられるチップ２３と、を備えている。チップ２３の先端部は先細りの円錐形状に形成されている。一方、チップ２３の基端部は径方向内側に括れた括れ部２４を有する形状に形成されている。
さらに、スリーブ２２とチップ２３との間には絶縁リング２５が形成され、これにより、スリーブ２２とチップ２３とが電気的に絶縁されている。チップ２３は、ジャック１に電気接続されることで音響信号を外部機器に伝達するための信号用電極となっている。一方、スリーブ２２は、グランド用電極となっている。
【００１８】
そして、本実施形態のジャック１は、上記ピンプラグ２が挿入される有底の筒状ユニット（筒部）３と、筒状ユニット３に挿入されたピンプラグ２のチップ２３やスリーブ２２に接触してピンプラグ２に電気接続される複数の接点部材４〜６と、を備えている。
筒状ユニット３は、導電性材料からなる円筒状の外筒部３１と、絶縁性材料からなる円筒状の内筒部３２及び円板状の固定板３３と、を備えている。
【００１９】
外筒部３１の内周部には、筒状ユニット３の底部側に向く段差面３４が形成されている。この段差面３４よりも筒状ユニット３の開口部側に位置する外筒部３１の一端部側の内径寸法は、ピンプラグ２のスリーブ２２の外径寸法と同等あるいはスリーブ２２の外径寸法よりも若干大きい。一方、段差面３４よりも筒状ユニット３の底部側に位置する外筒部３１の他端部側の内径寸法は、内筒部３２を外筒部３１内に収容できるように、一端部側の内径寸法よりも大きく設定されている。
【００２０】
外筒部３１の一端部には、フランジ部３５及びストラップ保持部３６が一体に形成されている。
フランジ部３５は、外筒部３１から径方向外側に突出する円盤状に形成されている。このフランジ部３５は、外筒部３１をエレアコのボディに埋め込んだ状態でボディの外面に配される。そして、フランジ部３５は、ネジ止め等によりジャック１をエレアコのボディに固定する役割を果たす。一方、ストラップ保持部３６は、外周面に括れ形状を有する筒状に形成されており、エレアコ用のストラップ（不図示）を係止する部分である。すなわち、本実施形態のジャック１は、エレアコのエンドピンとしても機能する。
【００２１】
内筒部３２の外径寸法は、前述した外筒部３１の他端部側の内径寸法と同等あるいはこの内径寸法よりも若干小さく、かつ、外筒部３１の一端部の内径寸法よりも大きい。これにより、内筒部３２は外筒部３１の他端部側から外筒部３１内に挿入可能となっている。また、外筒部３１に挿入された内筒部３２を外筒部３１の段差面３４に当接させることで、内筒部３２を外筒部３１に対して位置決めすることができる。
【００２２】
そして、筒状ユニット３の開口部側に位置する内筒部３２の軸方向端部には、内筒部３２の内周面から径方向内側に突出する規制突起部３７が形成されている。この規制突起部３７は、後述する信号用接点部材４が内筒部３２に取り付けられた状態で、筒状ユニット３の開口部側への移動を規制する役割を果たす。
また、規制突起部３７の先端には、内筒部３２の内周面との間に間隔をあけるように筒状ユニット３の底部に向けて延びる張出部３８が形成されている。
以上のように構成される内筒部３２は、複数の接点部材４〜６を取り付けるためのハウジングとなっている。
【００２３】
固定板３３は、内筒部３２の一方の開口を閉塞して筒状ユニット３の底部をなすものであり、接着剤等によって内筒部３２に固定されている。このため、固定板３３の形寸法は、内筒部３２の外径寸法と同等に設定されている。
この固定板３３の中央部には、その厚さ方向に貫通するスリット３９（３９Ａ，３９Ｂ）が形成されている。このスリット３９は、後述する信号用接点部材４及びスイッチ用接点部材５の端子部４３，５３を挿通させて、筒状ユニット３の外側に配するものである。
【００２４】
各接点部材４〜６は、導電性を有すると共に弾性変形可能な板材に折り曲げ加工を施して形成されている。本実施形態における複数の接点部材４〜６は、信号用接点部材４、スイッチ用接点部材５、及び、グランド用接点部材６である。
信号用接点部材４は、ベース部４１、複数の板バネ部４２、及び、信号端子部４３を備えている。ベース部４１は、折り曲げ部分のない平坦な板状に形成され、固定板３３からなる筒状ユニット３の底部に配されている。本実施形態のベース部４１は、帯板状に形成されている。
【００２５】
各板バネ部４２は、ベース部４１の周縁に一体に形成されている。本実施形態では、二つの板バネ部４２がベース部４１の長手方向の両端に形成されている。
また、各板バネ部４２は、ベース部４１の一方の主面からその厚さ方向に突出するように、ベース部４１に対して折り曲げられている。これにより、各板バネ部４２は、ベース部４１から内筒部３２の内周面に沿って筒状ユニット３の開口部に向けて延在している。また、二つの板バネ部４２は、筒状ユニット３に挿入されたピンプラグ２をその径方向から挟み込むように配されている。
そして、各板バネ部４２は、筒状ユニット３に挿入されたピンプラグ２の括れ部２４に入り込ませて弾性的に接触させる接点部４４を備えている。なお、本実施形態の接点部４４は、板バネ部４２の延在方向の中間部分に設けられている。
【００２６】
以下、接点部４４を含む本実施形態の板バネ部４２について詳細に説明する。
各板バネ部４２は、ベース部４１側から延出方向先端に向けて、平板状の基端板部４５、立ち上がり板部４６及び折り返し板部４７を順番に配列して構成されている。
基端板部４５は、筒状ユニット３の軸方向に平行して延びており、内筒部３２の内周面に配されている。立ち上がり板部４６は、基端板部４５に対して筒状ユニット３の径方向内側に折り曲げられている。これにより、立ち上がり板部４６は、内筒部３２の内周面に対して筒状ユニット３の径方向内側に傾斜して延びている。
【００２７】
折り返し板部４７は、立ち上がり板部４６に対して筒状ユニット３の径方向外側に折り曲げられている。これにより、折り返し板部４７は、立ち上がり板部４６との折曲げ部分から内筒部３２の内周面に近づくように、筒状ユニット３の径方向外側に傾斜して延びている。
さらに、折り返し板部４７の先端は、内筒部３２の内周面に当接している。また、折り返し板部４７の先端は、内筒部３２の内周面と張出部３８との間に挿入されている。すなわち、張出部３８は、折り返し板部４７の先端が内筒部３２の内周面から浮き上がることを防ぐ先端保持部となっている。
本実施形態における各板バネ部４２の接点部４４は、上述した立ち上がり板部４６と折り返し板部４７との折曲げ部分によって構成されている。なお、二つの接点部４４の軸方向位置は、互いに一致している。また、二つの接点部４４の間隔は、括れ部２４におけるピンプラグ２の外径寸法よりも小さい。
【００２８】
信号用接点部材４の信号端子部４３は、ベース部４１の他方の主面からその厚さ方向に突出するように、ベース部４１に対して折り曲げられている。すなわち、信号端子部４３は、前述した複数の板バネ部４２と逆向きに突出している。この信号端子部４３は、固定板３３に形成されたスリット３９Ａに挿通されて、筒状ユニット３の外側に配されている。これにより、信号端子部４３を配線等によってエレアコのピックアップ装置やプリアンプに電気接続することが可能である。
以上のように構成される信号用接点部材４は、その接点部４４がピンプラグ２のチップ２３に接触することで、ピックアップ装置やプリアンプから出力された音響信号をピンプラグ２に伝達する役割を果たす。
【００２９】
スイッチ用接点部材５は、帯状の板材に折り曲げ加工を施すことで、前述した信号用接点部材４と同様に、ベース部５１、一つの板バネ部５２及びスイッチ端子部５３を備えている。スイッチ用接点部材５のベース部５１は、信号用接点部材４のベース部４１と同様に筒状ユニット３の底部に配されている。また、スイッチ用接点部材５の板バネ部５２は、信号用接点部材４の板バネ部４２と同様に折り曲げられて、筒状ユニット３に挿入されたピンプラグ２のスリーブ２２に対して弾性的に接触する接点部５４を備える。この板バネ部５２は、内筒部３２の内周面のうち、信号用接点部材４の板バネ部４２に対して筒状ユニット３の周方向に９０度ずらした位置に配されている。
さらに、スイッチ端子部５３は、ベース部５１に対して板バネ部５２と逆向きに折り曲げられ、固定板３３に形成されたスリット３９Ｂに挿通されることで、筒状ユニット３の外側に配されている。このスイッチ用接点部材５は、例えば配線等によってエレアコのプリアンプに電気接続され、ピンプラグ２の挿抜に応じてプリアンプの電源のＯＮ／ＯＦＦを切り換える役割を果たす。
【００３０】
グランド用接点部材６は、帯状の板材を中途部において折り返すように折り曲げて形成されている。グランド用接点部材６は、その一端部が内筒部３２の内周面に配されると共に、他端部が内筒部３２の外周面に配されるように、筒状ユニット３の開口部側に位置する内筒部３２の軸方向端部に取り付けられている。なお、グランド用接点部材６の一端部は、内筒部３２の内周面のうちスイッチ用接点部材５の板バネ部４２に対向する位置に配されている。
このグランド用接点部材６の一端部は、筒状ユニット３に挿入されたピンプラグ２のスリーブ２２に対して弾性的に接触する。一方、グランド用接点部材６の他端部は、外筒部３１の内周面に当接する。すなわち、グランド用接点部材６は、ピンプラグ２のスリーブ２２と外筒部３１とを電気接続する役割を果たしている。
【００３１】
なお、本実施形態のジャック１は、導電性を有するグランド用端子部材７も備えている。グランド用端子部材７は、導電性を有する板材に折り曲げ加工を施して形成され、環状板部７１と、帯状板部７２とを備えている。環状板部７１は、信号用接点部材４のベース部４１と共に固定板３３を挟み込むように筒状ユニット３の外側に配されている。また、環状板部７１は、筒状ユニット３の底部側に位置する外筒部３１の軸方向端部に接触している。これにより、グランド用端子部材７が外筒部３１に電気接続されている。
一方、帯状板部７２は、環状板部７１対して折り曲げられ、筒状ユニット３から離れるようにジャック１の軸方向に延びている。この帯状板部７２は、配線等によってエレアコのピックアップ装置やプリアンプに電気接続される部分である。
【００３２】
以上のように構成されるジャック１に対してピンプラグ２を挿入する際には、はじめに、チップ２３の先端部が二つの折り返し板部４７に当接する。その後、図３に示すように、チップ２３先端部のうち外径寸法が最大となる部分が二つの接点部４４の間に到達するまで、二つの接点部４４の間隔が広がるように各板バネ部４２が弾性変形し、板バネ部４２に応力が生じる。本実施形態では、折り返し板部４７の先端が内筒部３２の内周面に当接しているため、板バネ部４２に生じる応力は、基端板部４５と立ち上がり板部４６との折曲げ部分、及び、立ち上がり板部４６と折り返し板部４７との折曲げ部分の二箇所に分散される。
【００３３】
最後に、図４に示すように、チップ２３の括れ部２４が二つの接点部４４の間に到達することで、各接点部４４が括れ部２４に入り込む。また、各板バネ部４２の弾性力によって各接点部４４が括れ部２４に対して弾性的に接触し、ピンプラグ２が二つの板バネ部４２によって挟み込まれる。この状態では、ジャック１の信号用接点部材４とピンプラグ２のチップ２３とが電気接続されて、音響信号をジャック１からピンプラグ２に伝達することができる。また、ピンプラグ２をジャック１内に係止することができる。
一方、ピンプラグ２をジャック１から抜く場合には、板バネ部４２の弾性力よりも大きな力でピンプラグ２を引き抜けばよい。これにより、チップ２３の括れ部２４が立ち上がり板部４６に押し付けられ、挿入時の場合と同様に、二つの接点部４４の間隔が広がるように各板バネ部４２が弾性変形する。
【００３４】
以上説明したように、本実施形態に係るジャック１によれば、ピンプラグ２の括れ部２４が複数の接点部４４によって挟み込まれるため、例えピンプラグ２が筒状ユニット３内でこじるように動いたとしても、少なくとも一つの接点部４４はピンプラグ２の括れ部２４に対して弾性的に接触した状態に保持される。したがって、接点部４４が括れ部２４に接触した状態で信号用接点部材４とピンプラグ２との間で音響信号が伝達される際に、音切れが発生することを防止できる。
【００３５】
また、板バネ部４２が複数設けられることで、板バネ部４２が一つの場合と比較して、ジャック１に対するピンプラグ２の挿抜に伴う各板バネ部４２の弾性変形量が小さくなる。さらに、本実施形態のジャック１では、ピンプラグ２を筒状ユニット３に対して挿抜する際に板バネ部４２に生じる応力が、二つの折曲げ部分に分散されるため、ピンプラグ２の挿抜を多数回繰り返しても、板バネ部４２の弾性力が弱まり難くなる。すなわち、各板バネ部４２の耐久性が向上し、信頼性の高いジャック１を提供することが可能となる。
【００３６】
さらに、複数の板バネ部４２がベース部４１を介して一体に形成されているため、複数の接点部４４の相対的な位置決めを容易に行うことができる。また、ピンプラグ２の挿抜を繰り返しても、複数の接点部４４の間で相対的な位置ずれが発生することも防止できる。これにより、全ての接点部４４を確実にピンプラグ２の括れ部２４に入り込ませて、ピンプラグ２をジャック１内で係止する力を十分に得ることができる。したがって、ピンプラグ２がジャック１内において軸方向に動いてしまったり、ピンプラグ２がジャック１から抜けてしまうことを防止できる。
【００３７】
また、ベース部４１を筒状ユニット３の底部に当接させるだけで、板バネ部４２を筒状ユニット３に対して位置決めできるため、従来のように筒状ユニット３（内筒部３２）に板バネ部４２用の固定部分を設ける必要が無くなる。すなわち、複数の板バネ部４２を筒状ユニット３内に配置しても、ジャック１の外形寸法が大きくなることを防止できる。したがって、ジャック１を設けるスペースに制約があるエレアコにも、複数の板バネ部４２を備えたジャック１を容易に設けることが可能となる。
【００３８】
以上、上記実施形態により本発明について詳細に説明したが、本発明は上記実施形態に限定されるものではなく、本発明の趣旨を逸脱しない範囲において種々の変更を加えることが可能である。
例えば、板バネ部４２を構成する折り返し板部４７の先端は、常に内筒部３２の内周面に当接することに限らず、ピンプラグ２の挿抜に関わらず、内筒部３２の内周面面から径方向内側に浮き上がった位置に配されてもよい。また、折り返し板部４７の先端は、例えば、ピンプラグ２の挿抜時のみ、あるいは、ピンプラグ２を挿抜する際及びピンプラグ２を挿入した状態でのみ、内筒部３２の内周面に当接してもよい。
【００３９】
また、各板バネ部４２は、少なくともピンプラグ２の括れ部２４に入り込ませて弾性的に接触させる接点部４４を備えていればよい。したがって、各板バネ部４２は、例えば立ち上がり板部４６のみを備えていてもよいし、あるいは、基端板部４５及び立ち上がり板部４６のみを備えてもよい。これらの場合には、立ち上がり板部４６の先端部を接点部４４とすればよい。
さらに、板バネ部４２は、二つ設けられることに限らず、少なくともピンプラグ２をその径方向から挟み込むように複数設けられればよく、例えば三つ以上設けられてもよい。したがって、複数の板バネ部４２は、互いに筒状ユニット３の周方向に間隔をあけて配されればよく、例えば、筒状ユニット３の周方向に等間隔で配列されてもよい。
【００４０】
また、本発明のジャック１に備える複数の接点部材には、上記実施形態のようにスイッチ用接点部材５が含まれていなくてもよく、少なくとも信号用接点部材４及びグランド用接点部材６が含まれていればよい。すなわち、本発明のジャック１は、プリアンプやプリアンプ用の電源を備えない電気楽器に適用することも可能である。
また、本発明のジャック１は、上記実施形態のようなストラップ保持部３６を備えていなくてもよい。
【００４１】
そして、本発明のジャックは、エレアコに限らず、少なくとも演奏者による操作子（弦・鍵など）の操作に応じて音響信号を生成する各種の電気楽器に設けられることが可能である。ただし、本発明のジャックは、電気ギターや電気バイオリン等のように、演奏時に演奏者の身に付けたり演奏者の身体で支持するような電気楽器に設けることが、特に有用である。
【符号の説明】
【００４２】
１…ジャック、２…ピンプラグ、２４…括れ部、３…筒状ユニット（筒部）、３３…固定板、４…信号用接点部材、４１…ベース部、４２…板バネ部、４４…接点部、４５…基端板部、４６…立ち上がり板部、４７…折り返し板部
【図１】
2014089821.tif 000003
【図２】
2014089821.tif 000004
【図３】
2014089821.tif 000005
【図４】
2014089821.tif 000006